(57)【要約】【課題】植物栽培装置において、植物苗を栽培する栽培部に向かう気流が妨げられることを抑制しながら栽培部に照射される光のむらを抑制する。【解決手段】植物栽培装置１は、植物苗を栽培する栽培棚２と、栽培棚２に光を照射する光照射装置６と、栽培棚２に向かう気流を生成する送風装置８と、光照射装置６により照射される光を栽培棚２に向けて反射し、且つ送風装置８により生成された気流が通過可能な通気反射壁４０を有し、栽培棚２を囲む筐体３とを備える。【選択図】図７
2020130135.tif 000002
【特許請求の範囲】
【請求項１】
植物苗を栽培する栽培部と、
前記栽培部に光を照射する光照射部と、
前記栽培部に向かう気流を生成する気流生成部と、
前記光照射部により照射される光を前記栽培部に向けて反射し、且つ前記気流生成部により生成された気流が通過可能な通気反射部を有し、当該栽培部を囲む筐体と
を備える植物栽培装置。
【請求項２】
前記通気反射部は、それぞれが前記光照射部により照射される光を反射し、間隙を介して平行に並ぶ複数の板部材を有することを特徴とする請求項１に記載の植物栽培装置。
【請求項３】
前記通気反射部は、複数の前記板部材の角度が変更可能であることを特徴とする請求項２に記載の植物栽培装置。
【請求項４】
前記栽培部における植物苗の栽培面よりも下方から当該栽培部に対して植物苗の生育に必要な液体を供給する給水部をさらに備え、
前記気流生成部は、前記栽培面よりも上方と当該栽培面よりも下方とに気流を生成し、
前記通気反射部は、前記栽培面よりも上方に生成された気流と、当該栽培面よりも下方に生成された気流とが通過可能であることを特徴とする請求項１に記載の植物栽培装置。
【請求項５】
前記通気反射部は、前記栽培部の上方からのれん状に吊り下げられた薄膜部材を有することを特徴とする請求項１に記載の植物栽培装置。
【請求項６】
前記通気反射部の前記薄膜部材は、前記気流生成部により生成された気流により形状が変化することで気流が通過する間隙を形成することを特徴とする請求項５に記載の植物栽培装置。
【請求項７】
前記気流生成部は、前記栽培部に空気または乾燥空気を供給することで気流を生成し、
前記通気反射部は、前記栽培部に対して前記気流生成部により生成される気流の進行方向の下流側に位置し、当該気流生成部により供給された空気または乾燥空気を前記筐体の外部へ排出することを特徴とする請求項１に記載の植物栽培装置。
【発明の詳細な説明】
【技術分野】
【０００１】
本発明は、植物栽培装置に関する。
【背景技術】
【０００２】
従来技術として、植物を育成する育成室を形成する箱体の天井板に、植物に光を照射する蛍光体を有する植物育成装置が存在する（特許文献１）。この植物育成装置では、育成室の内面に蛍光体からの光を反射する反射膜を設けることで、植物に照射される光の強さを調整している。
【先行技術文献】
【特許文献】
【０００３】
【特許文献１】特開平７−５０９４１号公報
【発明の概要】
【発明が解決しようとする課題】
【０００４】
ところで、筐体内で植物苗を栽培する植物栽培装置では、例えば植物苗を栽培する栽培部に存在する水蒸気、酸素、二酸化炭素等を拡散させる等の目的で、栽培部に向けて気流を生成する場合がある。そして、植物栽培装置において、植物苗に光を照射する光照射部からの光を反射する反射膜を筐体に設けた場合、筐体内に気流を生成すると、この反射膜によって気流の移動が妨げられる場合がある。
本発明は、植物栽培装置において、植物苗を栽培する栽培部に向かう気流が妨げられることを抑制しながら栽培部に照射される光のむらを抑制することを目的とする。
【課題を解決するための手段】
【０００５】
かかる目的のもと、本発明の植物栽培装置は、植物苗を栽培する栽培部と、前記栽培部に光を照射する光照射部と、前記栽培部に向かう気流を生成する気流生成部と、前記光照射部により照射される光を前記栽培部に向けて反射し、且つ前記気流生成部により生成された気流が通過可能な通気反射部を有し、当該栽培部を囲む筐体とを備える。
ここで、前記通気反射部は、それぞれが前記光照射部により照射される光を反射し、間隙を介して平行に並ぶ複数の板部材を有することを特徴とすることができる。
また、前記通気反射部は、複数の前記板部材の角度が変更可能であることを特徴とすることができる。
さらに、前記栽培部における植物苗の栽培面よりも下方から当該栽培部に対して植物苗の生育に必要な液体を供給する給水部をさらに備え、前記気流生成部は、前記栽培面よりも上方と当該栽培面よりも下方とに気流を生成し、前記通気反射部は、前記栽培面よりも上方に生成された気流と、当該栽培面よりも下方に生成された気流とが通過可能であることを特徴とすることができる。
さらにまた、前記通気反射部は、前記栽培部の上方からのれん状に吊り下げられた薄膜部材を有することを特徴とすることができる。
また、前記通気反射部の前記薄膜部材は、前記気流生成部により生成された気流により形状が変化することで気流が通過する間隙を形成することを特徴とすることができる。
さらに、前記気流生成部は、前記栽培部に空気または乾燥空気を供給することで気流を生成し、前記通気反射部は、前記栽培部に対して前記気流生成部により生成される気流の進行方向の下流側に位置し、当該気流生成部により供給された空気または乾燥空気を前記筐体の外部へ排出することを特徴とすることができる。
【発明の効果】
【０００６】
本発明によれば、植物栽培装置において、植物苗を栽培する栽培部に向かう気流が妨げられることを抑制しながら栽培部に照射される光のむらを抑制することができる。
【図面の簡単な説明】
【０００７】
【図１】本実施の形態が適用される植物栽培装置の全体構成を示した図であって、植物栽培装置の正面図である。
【図２】（ａ）、（ｂ）は、図１に示した植物栽培装置をＩＩ方向から見た平面図である。
【図３】図１に示した植物栽培装置のＩＩＩ−ＩＩＩ部での断面図である。
【図４】（ａ）、（ｂ）は、本実施の形態が適用される通気反射壁の構成の一例を示した図である。
【図５】（ａ）、（ｂ）は、植物栽培装置において光照射装置により光の照射を行っている状態を示した図である。
【図６】植物栽培装置において給水装置による養液の供給を行っている状態を示した図である。
【図７】植物栽培装置において送風装置の生育側ファンおよび給水側ファンによる送風を行っている状態を示した図である。
【図８】実施の形態２が適用される通気反射壁の構成を説明するための図である。
【図９】実施の形態２が適用される植物栽培装置において送風装置による送風を行っている状態を示した図である。
【発明を実施するための形態】
【０００８】
［実施の形態１］
以下、添付図面を参照して、本発明の実施の形態について詳細に説明する。
図１は、本実施の形態が適用される植物栽培装置１の全体構成を示した図であって、植物栽培装置１の正面図である。図１においては、後述する筐体３の通気反射壁４０を省略している。また、図２（ａ）、（ｂ）は、図１に示した植物栽培装置１をＩＩ方向から見た平面図である。図２（ｂ）においては、後述する筐体３の上壁３１を省略している。さらに、図３は、図１に示した植物栽培装置１のＩＩＩ−ＩＩＩ部での断面図である。
なお、以下の説明では、図１において、紙面の上および下を、それぞれ植物栽培装置１の上および下と呼ぶ場合がある。また、図１において、紙面の左および右を、それぞれ植物栽培装置１の左および右と呼ぶ場合がある。さらに、図１において、紙面の奥側および手前側を、それぞれ植物栽培装置１の後および前と呼ぶ場合がある。
【０００９】
本実施の形態の植物栽培装置１は、例えば、植物苗を育成するための育苗装置として用いられる。植物栽培装置１は、植物を栽培する栽培部の一例としての栽培棚２が上下方向に複数段（この例では３段）形成された所謂多段式の植物栽培装置である。詳細については後述するが、植物栽培装置１は、複数のセル２１が格子状に形成された栽培トレイ２０がそれぞれの栽培棚２に設置され、この栽培トレイ２０において植物苗を栽培する。この例では、図１に示すように、それぞれの栽培棚２に、３個の栽培トレイ２０が左右に並べて設置される。
【００１０】
植物栽培装置１は、全体として直方体状の外形状を有している。そして、植物栽培装置１は、複数段の栽培棚２をまとめて囲む筐体３を備えている。
筐体３は、栽培棚２の上方に位置する上壁３１と、栽培棚２の左右に位置する左壁３２および右壁３３と、栽培棚２の後側に位置する後壁３４とを有している。また、筐体３は、複数段の栽培棚２を挟んで後壁３４に対向する通気反射部の一例としての通気反射壁４０を有している。通気反射壁４０は、後述する光照射装置６により照射される光を反射する。さらに、通気反射壁４０は、植物栽培装置１の内側と外側との間を気体が通過できるようになっている。また、詳細については省略するが、通気反射壁４０は、上壁３１、左壁３２および右壁３３に対して開閉可能になっており、通気反射壁４０を開けることでそれぞれの栽培棚２に対する作業等ができるようになっている。なお、通気反射壁４０の構成については、後段にて詳細に説明する。
【００１１】
筐体３を構成する上壁３１、左壁３２、右壁３３および後壁３４は、例えば、ポリカーボネート樹脂、ポリエチレン樹脂、ポリ塩化ビニル樹脂、ＡＢＳ（Acrylonitrile Butadiene Styrene）樹脂、アクリル樹脂等の合成樹脂製シート、アルミニウム板、表面に樹脂がコーティングされた鋼板、表面に金属が蒸着された合成樹脂板等により構成される。
筐体３を構成する上壁３１、左壁３２、右壁３３および後壁３４は、少なくとも栽培棚２に対向する面が、後述する光照射装置６により照射される光を反射する材料により構成されることが好ましい。
【００１２】
筐体３の後壁３４には、後述する送風装置８により発生する気流を栽培棚２へ供給するための生育側通気口３４ａおよび給水側通気口３４ｂが形成されている。それぞれの生育側通気口３４ａは、栽培棚２の後述する生育領域Ｓ１に対向する位置に設けられている。また、それぞれの給水側通気口３４ｂは、栽培棚２の後述する給水領域Ｓ２に対向する位置に設けられている。
この例では、生育側通気口３４ａおよび給水側通気口３４ｂは、それぞれ、栽培棚２に設置される栽培トレイ２０の位置に対応して、左右に３個ずつ、上下に３列、合計９個設けられている。
【００１３】
植物栽培装置１は、筐体３の上壁３１、左壁３２、右壁３３、後壁３４および通気反射壁４０により囲まれる空間を複数段の栽培棚２に仕切り、それぞれの栽培棚２の底面を構成する底板４を備えている。この例では、植物栽培装置１は、間隙を介して上下に並ぶ３個の底板４を備えている。そして、植物栽培装置１は、底板４により、上下方向に３段の栽培棚２に区切られている。
それぞれの底板４には、後述する給水装置７により供給された養液を植物栽培装置１の外へ排出するための排水口４ａが形成されている。また、底板４は、排水口４ａからの養液の排出を促すために、排水口４ａが形成されていない側（図３における左側、植物栽培装置１の後方）から、後述する給水領域Ｓ２に対向する面が、排水口４ａが形成されている側（図３における右側、植物栽培装置１の前方）に向かって、下方に傾斜していることが好ましい。
【００１４】
さらに、植物栽培装置１は、それぞれの栽培棚２に、栽培トレイ２０が載置される載置部５を備えている。植物栽培装置１は、それぞれの栽培棚２内の空間が、載置部５によって、載置部５より上方に位置し栽培トレイ２０の植物が生育する生育領域Ｓ１と、載置部５より下方に位置し給水装置７による栽培トレイ２０への養液の供給が行われる給水領域Ｓ２とに区切られている。
【００１５】
それぞれの載置部５は、栽培トレイ２０を支持し、且つ生育領域Ｓ１と給水領域Ｓ２との間で液体および気体が通過可能な部材により構成される。それぞれの載置部５は、例えば、栽培トレイ２０が落下しないような間隔で格子状に配置された棒状の部材により構成される。また、それぞれの載置部５は、例えば、金網やパンチングメタル等の複数の穴を有する部材により構成されてもよい。なお、載置部５は、給水装置７により供給される養液による酸化や溶解等の劣化が生じない材料により構成されることが好ましい。
【００１６】
さらにまた、植物栽培装置１は、それぞれの載置部５に載置される栽培トレイ２０に対して光を照射する光照射部の一例としての光照射装置６を備えている。光照射装置６は、上壁３１および底板４のうちそれぞれの栽培棚２における生育領域Ｓ１に対向する面に設けられている。
光照射装置６は、栽培トレイ２０に対して植物苗の生育に必要な光を照射する。光照射装置６は、ＬＥＤ（Light Emitting Diode）を用いて光を照射することが好ましい。
光照射装置６は、それぞれが左右方向に延びる直管状の形状を有し、前後方向に間隙を介して並ぶ複数（この例では、それぞれの栽培棚２に対して４個）のＬＥＤランプ６１により構成される。それぞれのＬＥＤランプ６１としては、青色の光を出射する青色ＬＥＤ、赤色の光を出射する赤色ＬＥＤ、白色の光を出射する白色ＬＥＤを用いることができる。これらの中でも、色の光を出射する青色ＬＥＤおよび赤色の光を出射する赤色ＬＥＤを用いることが、植物苗の生育を良好にする観点で好ましい。本実施の形態のＬＥＤランプ６１は、青色の光を出射する複数の青色ＬＥＤ素子と、赤色の光を出射する複数の赤色ＬＥＤ素子とが、回路基板上にアレイ状に配置されている。
【００１７】
青色ＬＥＤ素子としては、例えば波長４００ｎｍ〜５１５ｎｍの光を出射する素子を用いることができる。また、赤色ＬＥＤ素子としては、例えば波長５７０ｎｍ〜７３０ｎｍの光を出射する素子を用いることができる。
【００１８】
また、ＬＥＤランプ６１の青色ＬＥＤ素子により照射される青色光の光量は、例えば、植物の栽培面上における光合成有効光量子束密度で、４０μｍｏｌ／（ｍ2・ｓ）〜４００μｍｏｌ／（ｍ2・ｓ）の範囲とすることができる。また、ＬＥＤランプ６１の赤色ＬＥＤ素子により照射される赤色光の光量は、例えば、植物の栽培面上における光合成有効光量子束密度で、４０μｍｏｌ／（ｍ2・ｓ）〜５００μｍｏｌ／（ｍ2・ｓ）の範囲とすることができる。光合成有効光量子束密度が上記範囲より低い場合には、植物苗等の生育が悪くなる場合がある。また、光合成有効光量子束密度が上記範囲より高い場合には、植物苗等の生育には影響しない一方で、エネルギー消費量が増大する傾向がある。なお、本実施の形態の説明において、植物の栽培面とは、栽培トレイ２０のセル２１に充填した培養土の上面（図３において符号２０ａで示す。）を意味し、光量は、栽培面にセンサを載せて測定する。
【００１９】
詳細については後述するが、本実施の形態では、光照射装置６は、青色光を連続的に照射する期間（Ａ）を有し、且つ、この青色光を連続的に照射する期間（Ａ）の一部が、青色光と赤色光との双方を連続的に照射する期間（Ａ−１）となるように、ＬＥＤランプ６１の青色ＬＥＤ素子および赤色ＬＥＤ素子による照射を行うことが好ましい。これにより、植物栽培装置１にて栽培する植物の徒長が抑制される。なお、以下の説明において、光照射装置６により光の照射を行っている期間を明期、光の照射を行っていない期間を暗期と表記する場合がある。
光照射装置６としては、上述したＬＥＤランプ６１の他、例えば蛍光灯やＬＤ（Laser Diode）ランプ等を用いてもよい。なお、蛍光灯は、ＬＥＤと比較して消費電力が大きく、発熱量が大きいため、栽培トレイ２０の培養土や植物苗が乾燥しやすい傾向がある。したがって、光照射装置６としては、ＬＥＤランプ６１を用いることが好ましい。
【００２０】
また、植物栽培装置１は、それぞれの載置部５に載置される栽培トレイ２０に対して養液を供給する給水部の一例としての給水装置７を備えている。給水装置７は、底板４のうちそれぞれの栽培棚２における給水領域Ｓ２に対向する面に取り付けられている。この例では、給水装置７は、それぞれが左右方向に延び、上方向に養液を放出するための孔７１ａが左右方向に複数形成された複数（この例では、それぞれの栽培棚２に対して３個）の管部材７１により構成されている。
【００２１】
給水装置７は、養液を管部材７１から放出する。本実施の形態の給水装置７では、管部材７１に形成された孔７１ａから、上方向に向けて養液がシャワー状に放出される。これにより、栽培トレイ２０に充填される培養土に、所望の量の養液が供給されることになる。
なお、給水装置７による養液の供給については、後段にてより詳細に説明する。
【００２２】
さらに、植物栽培装置１は、それぞれの栽培棚２に気流を送るための気流生成部の一例としての送風装置８を備えている。送風装置８は、それぞれの生育側通気口３４ａに取り付けられ、回転することでそれぞれの栽培棚２の生育領域Ｓ１に気流を送る複数の生育側ファン８１を備えている。また、送風装置８は、それぞれの給水側通気口３４ｂに取り付けられ、回転することでそれぞれの栽培棚２の給水領域Ｓ２に空気を送る複数の給水側ファン８２を備えている。
【００２３】
送風装置８は、生育側ファン８１および給水側ファン８２を回転させ、空気をそれぞれの栽培棚２の生育領域Ｓ１および給水領域Ｓ２に送る。
送風装置８は、光照射装置６による光の照射のタイミング（明期、暗期）、給水装置７による養液の供給のタイミング等に対応させて、予め定めた時間に、一定の期間、生育側ファン８１を回転させて生育領域Ｓ１に空気を送る。これにより、生育領域Ｓ１に気流が生じ、生育領域Ｓ１内の空気が拡散される。この結果、植物の蒸散により生じる水蒸気、植物の光合成により発生する酸素、および植物の暗期での呼吸により発生する二酸化炭素の、生育領域Ｓ１での気体濃度の偏りを低減することができる。また、生育領域Ｓ１に気流が生じることで、葉に付着した水滴が乾燥し、水滴によるカビ由来の病気が抑制される。生育側ファン８１は、例えば、明期の前半（光照射装置６による光照射を開始した後、明期の約半分の期間が経過するまで）には、生育領域Ｓ１に強い気流が生じるように送風を行うことが好ましい。その一方で、生育側ファン８１は、明期の後半から暗期にかけては、明期の前半と比べて生育領域Ｓ１に弱い気流が生じるように送風を行うことが好ましい。
【００２４】
また、送風装置８は、光照射装置６による光の照射のタイミング（明期、暗期）、給水装置７による養液の供給のタイミング等に対応させて、予め定めた時間に、一定の期間、給水側ファン８２を回転させて給水領域Ｓ２に空気を送る。これにより、給水領域Ｓ２に気流が生じ、底板４、載置部５または栽培トレイ２０の表面、栽培トレイ２０に充填される培土等が乾燥する。
給水側ファン８２は、例えば明期の前半には、給水領域Ｓ２に弱い気流が生じるように送風を行うことが好ましい。植物は、暗期には根から養液を吸収せずに呼吸を行い、暗期から明期に切り替わると、勢いよく養液を吸収して光合成を行うようになる。このため、例えば給水領域Ｓ２に強い気流が生じて培土が乾燥してしまうと、植物の光合成に必要な養液が不十分となるおそれがある。これに対し、明期の前半に給水側ファン８２によって給水領域Ｓ２に弱い気流を生じさせることで、培土の乾燥によって植物の光合成が阻害されることを抑制しながら、底板４、載置部５または栽培トレイ２０の表面を乾燥させることができる。
【００２５】
また、給水側ファン８２は、例えば明期の後半には、明期の前半と比べて給水領域Ｓ２に強い気流が生じるように送風を行うことが好ましい。上述したように、植物は、暗期に根を介して呼吸を行う。この場合、培土に養液が多く存在すると、植物が根を介して呼吸を行うことが困難になり、枯れてしまうおそれがある。これに対し、明期の後半に給水側ファン８２によって給水領域Ｓ２に強い気流を生じさせることで、暗期が始まる前に培土をしっかりと乾燥させることができる。これにより、暗期に、植物の呼吸が阻害されることが抑制される。
さらに、給水側ファン８２は、暗期には、明期の後半と比べて給水領域Ｓ２に弱い気流が生じるように送風を行うことが好ましい。これにより、植物の呼吸により発生し培土に滞留した二酸化炭素が拡散される。
なお、送風装置８による送風については、後段にてより詳細に説明する。
【００２６】
さらにまた、植物栽培装置１は、光照射装置６による光の照射、給水装置７による養液の供給、および送風装置８による送風等の植物栽培装置１の各部の機能を制御する不図示の制御装置を備えている。
また、図示は省略するが、植物栽培装置１は、植物栽培装置１の内部や外部に、栽培棚２内の温度、湿度、二酸化炭素濃度等を調整するための設備を備えていてもよい。
【００２７】
続いて、栽培トレイ２０の構成について説明する。図２（ａ）、（ｂ）、図３等に示すように、栽培トレイ２０は、上方に向けて開口する凹形状を有し、格子状に配置される複数のセル２１を有している。この例では、それぞれの栽培トレイ２０には、左右方向に５個ずつ、前後方向に６個ずつ、合計３０個のセル２１が形成されている。また、それぞれのセル２１の底面（下側の面）には、給水装置７による供給された養液等を培養土に染み込ませるための底穴２１ａが形成されている。栽培トレイ２０におけるセル２１の個数は、栽培する植物の種類や植物の生育状況等によって異なるが、通常、数十個から数百個程度である。
なお、栽培トレイ２０は、薄いポリプロピレン樹脂等の変形しやすい材料により構成されるため、持ち運び等の操作性の向上を目的として、通常アンダートレイに載せて使用される。図示は省略するが、本実施の形態では、このアンダートレイを含めて栽培トレイ２０と表記する場合がある。また、栽培トレイ２０にアンダートレイを用いる場合、このアンダートレイには、液体および気体が通過可能なように、孔等が設けられていることが必要である。
【００２８】
続いて、本実施の形態の通気反射壁４０の構成についてより詳細に説明する。図４（ａ）、（ｂ）は、本実施の形態が適用される通気反射壁４０の構成の一例を示した図である。図４（ａ）は、通気反射壁４０を植物栽培装置１の内側（栽培棚２側）から見た図であり、図４（ｂ）は、図４（ａ）におけるＩＶＢ−ＩＶＢ部での断面図である。
【００２９】
本実施の形態の通気反射壁４０は、全体として所謂ブラインド状の形状を有している。
具体的に説明すると、通気反射壁４０は、図４（ａ）に示すように、上下方向に間隙を介して配置される複数の板部材４１と、複数の板部材４１の四方（上下左右）を囲むように設けられる枠部材４２と、枠部材４２の内部において複数の板部材４１を支持する支持部材４３とを備えている。本実施の形態の通気反射壁４０では、板部材４１同士の間隙を気体が通過できるようになっている。
【００３０】
図４（ａ）、（ｂ）に示すように、それぞれの板部材４１は、植物栽培装置１の左右方向に沿って延びている。また、それぞれの板部材４１は、上方向に凸となるようにわずかに湾曲した薄板状の形状を有している。この例では、それぞれの板部材４１は、互いに等しい形状を有している。
また、それぞれの板部材４１は、水平方向に対して植物栽培装置１の内側（栽培棚２側）に傾斜している。具体的には、それぞれの板部材４１は、図４（ｂ）に示すように、植物栽培装置１の内側（栽培棚２側）から植物栽培装置１の外側に向かうに従い上方へ傾斜するように設けられている。
【００３１】
また、複数の板部材４１は、図４（ａ）、（ｂ）に示すように、植物栽培装置１の内側（栽培棚２側）から前側に向かって水平に通気反射壁４０を見た場合、隣接する板部材４１の上端と下端とが重なっている。言い換えると、植物栽培装置１の内側から前側に向かって水平に通気反射壁４０を見た場合、複数の板部材４１は、通気反射壁４０の略全面に連続して並んでおり、板部材４１同士の間隙は視認されないようになっている。
【００３２】
それぞれの板部材４１は、少なくとも栽培棚２に対向する面（この例では、斜め上方を向く面）が、光照射装置６により照射される光を反射する材料により構成されている。
板部材４１を構成する材料としては特に限定されないが、ポリカーボネート樹脂、ポリエチレン樹脂、ポリ塩化ビニル樹脂、ＡＢＳ樹脂、アクリル樹脂等の合成樹脂からなる薄板材、アルミニウム板、表面に樹脂がコーティングされた鋼板、表面に金属が蒸着された合成樹脂板等が挙げられる。
【００３３】
支持部材４３は、複数の板部材４１を上下方向に貫通して設けられる梯子状のコード（所謂ラダーコード）から構成される。そして、支持部材４３は、複数の板部材４１を、枠部材４２の内部に吊り下げるようにして支持している。また、支持部材４３は、複数の板部材４１を、間隙を介して平行に支持している。
【００３４】
詳細については後述するが、本実施の形態の通気反射壁４０は、光照射装置６から照射される光を、それぞれの板部材４１によって栽培棚２側に向けて反射する。また、本実施の形態の通気反射壁４０は、送風装置８により生成された気流を、それぞれの板部材４１同士の間隙を介して通過させる。
【００３５】
続いて、本実施の形態の植物栽培装置１を用いて植物を栽培する方法について説明する。ここでは、植物栽培装置１を用いて、ナス科のミニトマトの苗を栽培する方法を例に挙げて説明する。
植物栽培装置１を用いてミニトマトの苗を栽培する場合、まず、栽培トレイ２０の各セル２１の中に、培養土を充填する。なお、培養土には、植物の生育に必要な肥料等が含まれていてもよい。そして、各セル２１に充填した培養土の上面に窪みを形成し、この窪みにミニトマトの種を１粒ずつ播いた後、種の上に培養土を被せる。なお、本実施の形態の説明において、以上の工程を、播種と表記する場合がある。
【００３６】
次いで、播種を行った栽培トレイ２０を、予め定めた温度および湿度（例えば２８℃、ＲＨ８０％）に調整された不図示の催芽器に収容する。その後、栽培トレイ２０の各セル２１に播種した種からわずかに芽が出たら、栽培トレイ２０を植物栽培装置１に移す。付言すると、栽培トレイ２０を、植物栽培装置１の栽培棚２に設けられた載置部５上に載置する。
ミニトマトの種の場合、およそ７２時間（３日間）で、種からわずかに芽が出る。「種からわずかに芽が出る」とは、ミニトマトの場合、例えば、培養土の間から芽（子葉を支える茎）が視認できる一方で、この子葉を支える茎が完全には立っていない状態を意味する。
【００３７】
そして、植物栽培装置１では、予め定めた条件で、光照射装置６による光の照射、給水装置７による養液の供給、および送風装置８による送風を行う。
【００３８】
光照射装置６は、予め定めたタイミングで、栽培トレイ２０に対して、青色ＬＥＤ素子による青色光および赤色ＬＥＤ素子による赤色光の照射を行う。
光照射装置６は、上述したように、例えば青色光を連続的に照射する期間（Ａ）を有し、且つ、この青色光を連続的に照射する期間（Ａ）の一部が、青色光と赤色光との双方を連続的に照射する期間（Ａ−１）となるように、ＬＥＤランプ６１の青色ＬＥＤ素子および赤色ＬＥＤ素子による照射を行うことが好ましい。
より具体的には、光照射装置６は、青色光を連続的に照射する期間（Ａ）を行う時間の３０％以上８０％未満が、青色光と赤色光との双方を連続的に照射する期間（Ａ−１）となるように、ＬＥＤランプ６１の青色ＬＥＤ素子および赤色ＬＥＤ素子による照射を行うことが好ましい。
【００３９】
なお、本実施の形態の説明において「連続的に照射する」とは、青色光または赤色光等の光を通常は連続照射する場合の他、短い時間であれば光を照射しない時間を有している場合も含む。ここで、短い時間とは、通常は３０分以下、好ましくは５分以下、より好ましくは１分以下を意味する。
【００４０】
また、光照射装置６は、光を照射しない期間（Ｂ）（暗期）を有するように、ＬＥＤランプ６１による照射を行ってもよい。植物栽培装置１にて栽培する植物の種類によっては、常に光を照射しながら栽培を行うと、連続光障害を発生する場合がある。このような植物の場合には、光を照射しない期間（Ｂ）を設けることが好ましい。例えば、植物栽培装置１においてミニトマトの苗を栽培する場合には、光を照射しない期間（Ｂ）を設けることが好ましい。
【００４１】
図５（ａ）、（ｂ）は、植物栽培装置１において光照射装置６により光の照射を行っている状態を示した図である。図５（ａ）は、図１における植物栽培装置１のＩＩＩ−ＩＩＩ部での断面図に対応し、図５（ｂ）は、図５（ａ）におけるＶＢ部の拡大図である。
上述したように、それぞれの板部材４１は、水平方向に対して傾斜して設けられており、一方の面が栽培棚２に対向するように構成されている。また、通気反射壁４０の板部材４１は、少なくとも栽培棚２に対向する側の面が、光照射装置６から出射される光を反射する材料により構成されている。
【００４２】
これにより、図５（ａ）、（ｂ）に示すように、光照射装置６から出射され、通気反射壁４０に到達した光は、それぞれの板部材４１にて反射されて、生育領域Ｓ１へ照射される。この結果、例えば通気反射壁４０が光を反射しない場合や、植物栽培装置１が通気反射壁４０を有しない場合と比べ、栽培棚２（生育領域Ｓ１）にて生育する植物苗に照射される光量が増加する。
【００４３】
ここで、例えば通気反射壁４０が光を反射しない場合や、植物栽培装置１が通気反射壁４０を有しない場合、生育領域Ｓ１の端部では、光照射装置６から照射された光が壁面に吸収されたり植物栽培装置１の外部へ放出されたりするため、植物苗に照射される光量が生育領域Ｓ１の中央部と比べて少なくなる場合がある。
これに対し、本実施の形態のように、光照射装置６から照射された光を通気反射壁４０にて反射させる構成とすることで、生育領域Ｓ１の端部と中央部とで、光照射装置６から照射される光量に差が生じることが抑制される。これにより、生育領域Ｓ１で生育する植物苗の成長むらが生じにくくなる。
【００４４】
特に、本実施の形態の通気反射壁４０は、上述したように、植物栽培装置１の内側（栽培棚２側）から水平に見た場合に、複数の板部材４１が通気反射壁４０の略全面に連続して並び、板部材４１同士の間隙が視認されないようになっている。これにより、本実施の形態の植物栽培装置１では、光照射装置６から出射され、通気反射壁４０に到達した光を、通気反射壁４０の略全面で反射させることができる。これにより、栽培棚２（生育領域Ｓ１）にて生育する植物苗に照射される光量をより増加させることができる。
なお、光照射装置６からの光を反射し、且つ送風装置８により生成された気流が通過可能な通気反射壁としては、例えば気流が通過する複数の孔が形成されたパンチングメタル等を用いることが挙げられる。しかしながら、通気反射壁としてパンチングメタルを用いた場合、孔の部分では光を反射しないため、本実施の形態の通気反射壁４０を用いる場合と比べて、植物苗に照射される光量が少なくなる場合がある。
【００４５】
給水装置７は、予め定めた条件で、栽培トレイ２０に対して養液を供給する。図６は、植物栽培装置１において給水装置７による養液の供給を行っている状態を示した図である。給水装置７は、予め定めた条件で、養液をそれぞれの管部材７１に供給する。これにより、図６に示すように、それぞれの管部材７１に形成された孔７１ａから、養液が上方に向けてシャワー状に放出される。
【００４６】
上述したように、管部材７１の上方には、載置部５が設けられており、この載置部５は、間隔を介して格子状に配置された棒状の部材等の液体が通過可能な部材により構成されている。これにより、それぞれの管部材７１からシャワー状に放出された養液は、載置部５を通過して、載置部５に乗せられた栽培トレイ２０の底に到達する。そして、栽培トレイ２０の各セル２１に形成された底穴２１ａを介して、各セル２１に充填された培養土に養液が染み込むことで、それぞれのセル２１に養液が供給される。
【００４７】
また、管部材７１の孔７１ａから放出された後、各セル２１の培養土に染み込まなかった養液の一部は、重力によって下方の底板４へ落下し、排水口４ａを介して植物栽培装置１の外部へ排出される。
【００４８】
給水装置７により供給される養液としては、例えば、水と植物の成長に必要な肥料等とを混合したものを用いることができる。また、給水装置７によって培養土に水のみを供給し、肥料については、不図示の点滴装置等を用いて、各セル２１に充填された培養土の上側から供給するものとしてもよい。
【００４９】
ここで、給水装置７が養液を供給する際の条件としては、給水装置７により養液を供給する時間（時刻）や頻度、それぞれの管部材７１から放出する養液の量、それぞれの管部材７１から養液を放出する時間の長さ等の条件が挙げられる。
給水装置７により養液を供給する時間（時刻）や頻度は、栽培する植物の種類や植物の生育状況等に基づいて決定される。植物栽培装置１においてミニトマトの苗を栽培する場合、給水装置７は、例えば、育苗初期は１日置きに１回、育苗後期には１日当たり１回、光照射開始の前後に養液を供給する。
【００５０】
また、給水装置７がそれぞれの管部材７１から放出する養液の量、およびそれぞれの管部材７１から養液を放出する時間の長さは、管部材７１および孔７１ａの径、管部材７１から栽培トレイ２０までの距離等に基づき、各セル２１の培養土に染み込む養液の量が所望の量となるように決定される。例えば、給水装置７がそれぞれの管部材７１から放出する養液の量、およびそれぞれの管部材７１から養液を放出する時間の長さは、各セル２１の培養土に染み込む養液の量が、各セル２１にて生育する植物苗等が次の養液の供給までの期間に吸収する養液の量とほぼ等しくなるように決定される。
【００５１】
ところで、従来の植物栽培装置１では、灌水トレイ上に栽培トレイ２０を載置し、この灌水トレイに養液を溜めてプール状態とすることで、各セル２１の培養土に養液を供給する場合がある。このように灌水トレイに養液をプール状態にして各セル２１に養液を供給する場合、各セル２１の培養土に染み込む養液の量が過剰となりやすい。具体的には、各セル２１の培養土に染み込む養液の量が、各セル２１で生育される植物苗が光合成に要する養液の量と比べて過剰となりやすい。そして、例えば植物苗が光合成を行わずに呼吸を行う夜間等に、各セル２１の培養土において根の周囲に養液が多く残存した状態となる。この場合、各セル２１内の根が呼吸をしにくくなり、植物苗の成長が阻害される場合がある。
【００５２】
これに対し、本実施の形態の給水装置７では、上述したように、各管部材７１の孔７１ａから養液を上方に向けてシャワー状に放出し栽培トレイ２０に供給している。そして、各管部材７１の孔７１ａから放出された養液は、液滴の状態で各セル２１の底面に到達する。これにより、本実施の形態では、栽培トレイ２０が載置される灌水トレイに養液をプール状態とする場合と比べて、養液が各セル２１の培養土にゆっくりと染み込む。この結果、各セル２１の培養土に染み込む養液の量が過剰となることが抑制される。
【００５３】
また、給水装置７では、それぞれの管部材７１から放出する養液の量等の各種条件を変更することで、各セル２１の培養土に染み込む養液の量を、例えば各セル２１で生育される植物苗が光合成に要する養液の量と近くなるように調整することができる。
これにより、本実施の形態の植物栽培装置１では、例えば植物苗が光合成を行わずに呼吸を行う夜間等に、各セル２１の培養土において根の周囲に養液が残存しにくくなる。そして、各セル２１内の根の呼吸が阻害されることが抑制され、植物苗の成長を促進することができる。
【００５４】
なお、給水装置７は、各管部材７１から放出され各セル２１の培養土に染み込まずに排水口４ａを介して排出された養液を再利用し、再び管部材７１から放出する構成としてもよい。この場合、養液に要するコストを低減することができる。
一方、養液を再利用しない場合、給水装置７では、各管部材７１により養液をシャワー状に放出することで、養液をプール状態にして各セル２１に養液を供給する場合と異なり、いずれかのセル２１に付着した養液が他のセル２１に付着しにくい。このため、例えば複数のセル２１のうちいずれかのセル２１で生育する植物苗に病害やカビ等が発生した場合であっても、他のセル２１で生育する植物苗に伝染しにくい。これにより、本実施の形態の植物栽培装置１によれば、より良好な植物苗を得ることができる。
【００５５】
送風装置８は、予め定めた条件で生育側ファン８１を回転させることで、生育側通気口３４ａを介して、それぞれの栽培棚２の生育領域Ｓ１に空気を供給する。これにより、生育領域Ｓ１に後側から前側に移動する気流が生じ、生育領域Ｓ１内の空気が拡散される。この結果、植物の蒸散により生じる水蒸気、植物の光合成により発生する酸素、および植物の暗期での呼吸により発生する二酸化炭素の、生育領域Ｓ１での気体濃度の偏りを低減することができる。また、生育領域Ｓ１に気流が生じることで、葉に付着した水滴が乾燥し、水滴によるカビ由来の病気が抑制される。
【００５６】
また、送風装置８は、予め定めた条件で給水側ファン８２を回転させ、空気をそれぞれの給水領域Ｓ２に供給する。例えば、送風装置８は、上述した給水装置７による養液の供給が終了した後、給水側ファン８２の回転を開始することで、給水側通気口３４ｂを介して、それぞれの栽培棚２の給水領域Ｓ２に空気を供給する。これにより、給水領域Ｓ２に後側から前側に移動する気流が生じる。この結果、給水装置７により放出された後、排水口４ａから排出されずに、底板４、載置部５または栽培トレイ２０の表面に残存した養液が、給水領域Ｓ２に生成された気流によって乾燥しやすくなる。
【００５７】
給水装置７による養液の供給が終了した後、底板４、載置部５または栽培トレイ２０の表面に養液が残存した状態が維持されると、この残存した養液に向かって、各セル２１にて生育する植物苗の根が伸びる場合がある。そして、各セル２１の底穴２１ａから栽培トレイ２０の外側まで植物苗の根が到達する場合がある。この場合、例えば植物栽培装置１による植物苗の栽培が終了した後、栽培トレイ２０の各セル２１から植物苗を取り外す際等に、根が切れやすくなる。
また、本実施の形態の植物栽培装置１では、光照射装置６のＬＥＤランプ６１により光を照射しているため、例えば消費電量が大きく発熱量が多い蛍光灯等を用いる場合と比べて、残存した養液が乾燥しにくい傾向がある。
【００５８】
これに対し、本実施の形態では、給水装置７による養液の供給が終了した後に、送風装置８により給水領域Ｓ２に空気を送る構成とすることで、底板４、載置部５または栽培トレイ２０の表面に残存した養液が乾燥しやすくなる。これにより、栽培トレイ２０の各セル２１から根が伸びることが抑制され、各セル２１の外側で根が切れたり絡んだりすることが抑制される。この結果、本圃に定植した場合の活着が良好な植物苗を得ることができる。
【００５９】
また、送風装置８は、光照射装置６による光の照射のタイミング（明期、暗期）、給水装置７による養液の供給のタイミング等に対応させて、予め定めた時間に、一定の期間、給水側ファン８２を回転させて給水領域Ｓ２に空気を送る。例えば、送風装置８は、明期の後半に、給水領域Ｓ２に強い気流が生じるように、それぞれの栽培棚２の給水領域Ｓ２に空気を供給する。これにより、暗期が始まる前に培土をしっかりと乾燥させることができ、暗期に植物の呼吸が阻害されることが抑制される。
【００６０】
図７は、植物栽培装置１において送風装置８の生育側ファン８１および給水側ファン８２による送風を行っている状態を示した図である。
上述したように、植物栽培装置１の前側に配置される通気反射壁４０は、複数の板部材４１の間隙を介して気体が通過できるように構成されている。これにより、図７に示すように、送風装置８の生育側ファン８１によって生育領域Ｓ１に供給された空気は、生育領域Ｓ１を後側から前側に向けて流れ、通気反射壁４０を通過して植物栽培装置１の外部へ排出される。この結果、上述したように、生育領域Ｓ１を後側から前側に移動する気流が生成する。
【００６１】
同様に、送風装置８の給水側ファン８２によって給水領域Ｓ２に供給された空気は、給水領域Ｓ２を後側から前側に向けて流れ、通気反射壁４０を通過して植物栽培装置１の外部へ排出される。この結果、給水領域Ｓ２を後側から前側に移動する気流が生成する。
【００６２】
このように、本実施の形態では、通気反射壁４０を気体が通過可能な構成とすることで、送風装置８の生育側ファン８１および給水側ファン８２により栽培棚２（生育領域Ｓ１、給水領域Ｓ２）に供給された空気が、植物栽培装置１の後側から前側に向けて流れ、通気反射壁４０を通過して植物栽培装置１の外部へ排出される。付言すると、送風装置８により生成された気流が通気反射壁４０によって妨げられることが抑制される。
【００６３】
ここで、通気反射壁４０は、複数の板部材４１が通気反射壁４０の略全面に設けられており、板部材４１同士の間隙が通気反射壁４０の略全面に設けられている。これにより、本実施の形態の植物栽培装置１では、送風装置８により生成された気流の排出を通気反射壁４０の略全面で行うことができる。このため、例えば、植物栽培装置１の前側に設けられる壁面の一部に気流の排出を行う排気口等を設ける場合と比べて、生育領域Ｓ１または給水領域Ｓ２での通気性を向上させることができる。また、生育領域Ｓ１または給水領域Ｓ２を移動する気流のむらを抑制することができる。
【００６４】
なお、本実施の形態の植物栽培装置１では、送風装置８の生育側ファン８１および給水側ファン８２を回転させ送風を行うことで、生育領域Ｓ１および給水領域Ｓ２に気流を生成しているが、例えば生育側ファン８１および給水側ファン８２を回転させ吸気を行うことで、生育領域Ｓ１および給水領域Ｓ２に気流を生成してもよい。
また、本実施の形態の植物栽培装置１では、送風装置８の生育側ファン８１および給水側ファン８２により空気を生育領域Ｓ１および給水領域Ｓ２に送っているが、例えば不図示の除湿装置により除湿した乾燥空気を生育領域Ｓ１および給水領域Ｓ２に送ってもよい。この場合、生育領域Ｓ１および給水領域Ｓ２に空気を送る場合と比べて、生育領域Ｓ１および給水領域Ｓ２の乾燥をより促すことができる。
【００６５】
また、本実施の形態の植物栽培装置１では、栽培トレイ２０を、生育領域Ｓ１と給水領域Ｓ２との間で液体および気体が通過可能な載置部５上に載せているが、これに限定されるものではない。すなわち、植物栽培装置１は、給水装置７によりシャワー状に放出される養液を栽培トレイ２０の各セル２１に供給することが可能なように、給水装置７の上方に栽培トレイ２０が配置されていればよい。例えば、植物栽培装置１は、載置部５を設けずに、筐体３（左壁３２、右壁３３、後壁３４）の内面にリブを設け、このリブに栽培トレイ２０の外縁等を引っかけて、給水装置７の上方に栽培トレイ２０を支持してもよい。
【００６６】
本実施の形態の植物栽培装置１による栽培で得られた植物苗は、植物の種類にもよるが、ロックウール、ヤシガラ、ウレタン樹脂、土壌等の支持体に鉢上げして、二次育苗した後、圃場に定植して栽培を行うことができる。
上述したように、本実施の形態の植物栽培装置１によれば、活着が良い植物苗を得ることができるため、この植物苗を圃場に定植した後の生育も良好となる。そして、例えばミニトマト等の収穫を伴う植物である場合、その収量を向上させることができる。
【００６７】
なお、本実施の形態では、植物栽培装置１において栽培する植物としてナス科のミニトマトを例に挙げて説明したが、植物の種類は特に限定されるものではなく、例えば以下の植物の苗が挙げられる。
植物としては、葉菜類、果菜類、根菜類、果樹類、穀類、コケ類、シダ類、観葉植物、薬草類等が挙げられる。植物栽培装置１は、これらの植物の中でも、果菜類の苗を栽培するのに適しており、中でもナス科の植物の苗を栽培するのにより適している。
【００６８】
続いて、実施の形態１の通気反射壁４０の変形例について説明する。
上述した例では、通気反射壁４０の複数の板部材４１の傾きが一定である場合について説明したが、通気反射壁４０は、支持部材４３によって、複数の板部材４１の傾きを調整できるようにしてもよい。付言すると、通気反射壁４０は、光照射装置６による光照射の態様や、送風装置８による送風の態様等に応じて、複数の板部材４１の傾きを変更してもよい。
【００６９】
通気反射壁４０では、複数の板部材４１の傾きを変更することで、光照射装置６から出射された光の反射効率や、送風装置８により生成された気流の通過のしやすさ等を制御することができる。すなわち、通気反射壁４０では、複数の板部材４１の傾きを鉛直方向に近くするほど、光照射装置６から出射された光が生育領域Ｓ１で生育される植物に向けて反射されやすくなる。また、通気反射壁４０では、複数の板部材４１の傾きを水平方向に近くするほど、隣接する板部材４１同士の間隙を大きくすることができ、送風装置８により生成された気流が通気反射壁４０を通過しやすくなる。
【００７０】
例えば、光照射装置６が光を照射しない期間（Ｂ）（暗期）を有するようにＬＥＤランプ６１による照射を行う場合、光照射装置６が光を照射する期間には、複数の板部材４１の傾きを鉛直方向に近くする。これにより、光照射装置６から出射された光をそれぞれの板部材４１で反射しやすくし、生育領域Ｓ１への光の照射量を多くする。その一方で、光照射装置６が光を照射しない期間（Ｂ）には、複数の板部材４１の傾きを水平方向に近くする。これにより、板部材４１同士の間隙を広くし、送風装置８により生成された気流が通気反射壁４０を通過しやすくする。
なお、通気反射壁４０の複数の板部材４１の傾きの変更は、制御装置により自動で行ってもよいし、ユーザが手動で行ってもよい。
【００７１】
また、上述した例では、通気反射壁４０は、複数の板部材４１の傾きや形状が互いに等しい場合について説明したが、これらを異ならせてもよい。例えば、通気反射壁４０のうち、生育領域Ｓ１に対向する部分と、給水領域Ｓ２に対向する部分とで、板部材４１の傾きを異ならせてもよい。すなわち、給水領域Ｓ２に対向する部分では、光照射装置６から出射される光を反射させる必要はないため、複数の板部材４１の傾きを水平方向に近くし、送風装置８により生成された気流を通過しやすくする。その一方で、生育領域Ｓ１に対向する部分では、給水領域Ｓ２に対向する部分と比べて複数の板部材４１の傾きを鉛直方向に近くすることで、光照射装置６から出射された光をそれぞれの板部材４１で反射しやすくする。
【００７２】
さらにまた、上述した例では、通気反射壁４０は、左右に延びる複数の板部材４１が上下方向に平行に並んでいる場合について説明したが、これに限られるものではない。図示は省略するが、通気反射壁４０は、例えば上下に延びる複数の板部材４１が左右方向に平行に並んでいてもよい。この場合であっても、上述した例と同様に、それぞれの板部材４１により光照射装置６から出射された光を反射できるとともに、板部材４１同士の間隙を介して送風装置８により生成された気流を通過させることができる。
【００７３】
さらに、通気反射壁４０は、左右に延びる複数の板部材４１が上下方向に平行に並んでいる部分と、上下に延びる複数の板部材４１が左右方向に平行に並んでいる部分との双方を有していてもよい。例えば、通気反射壁４０は、生育領域Ｓ１に対向する部分が、左右に延びる複数の板部材４１が上下方向に平行に並んでおり、給水領域Ｓ２に対向する部分が、上下方向に延びる複数の板部材４１が左右方向に並んでいてもよい。
【００７４】
［実施の形態２］
続いて、本発明の実施の形態２について説明する。なお、実施の形態１と同様の構成については同様の符号を用い、ここでは詳細な説明は省略する。図８は、実施の形態２が適用される通気反射壁５０の構成を説明するための図である。
【００７５】
実施の形態２の通気反射壁５０は、通気反射部の他の一例であって、全体として所謂のれん状の形状を有している。具体的には、図８に示すように、通気反射壁５０は、植物栽培装置１の前面に沿って設けられ、栽培棚２に対向する薄膜部材５１と、薄膜部材５１の上部に設けられ薄膜部材５１を支持する支持部材５２とを有している。付言すると、実施の形態２の通気反射壁５０では、支持部材５２によって薄膜部材５１が上方からのれん状に吊り下げられている。
図８に示す通気反射壁５０では、薄膜部材５１および支持部材５２は、それぞれの栽培棚２に設けられる生育領域Ｓ１および給水領域Ｓ２対応して、上下方向に６個ずつ並んで配置されている。
【００７６】
それぞれの薄膜部材５１は、図８に示すように、下端部から上方に向かって延びる複数のスリット５１１を有している。そして、それぞれの薄膜部材５１には、スリット５１１によって、左右方向に並ぶ複数の反射部５１２が形成されている。
【００７７】
また、それぞれの薄膜部材５１は、支持部材５２によって上方からのれん状に吊り下げられている。さらに、それぞれの薄膜部材５１は、送風装置８により生成された気流によって自身が変形するように、可撓性を有する材料により構成される。付言すると、薄膜部材５１は、送風装置８により生成された気流によって、それぞれの反射部５１２が独立して変形するようになっている。なお、実施の形態２において、薄膜部材５１（反射部５１２）が変形するとは、薄膜部材５１（反射部５１２）自身の形状が変化することを意味しており、例えば薄膜部材５１（反射部５１２）が支持部材５２に支持されている角度等が変化することは含まない。
さらにまた、それぞれの薄膜部材５１は、少なくとも栽培棚２に対向する面が、光照射装置６により照射される光を反射する材料により構成される。
【００７８】
薄膜部材５１を構成する材料としては特に限定されないが、例えば、ポリカーボネート樹脂、ポリエチレン樹脂、ポリ塩化ビニル樹脂、ＡＢＳ樹脂、アクリル樹脂等の合成樹脂の表面に金属が蒸着された合成樹脂シート等により構成される。
また、薄膜部材５１の厚さは、薄膜部材５１を構成する材料によっても異なるが、送風装置８からの気流によって変形可能な厚さに設定される。
【００７９】
図９は、実施の形態２が適用される植物栽培装置１において送風装置８による送風を行っている状態を示した図であって、図８におけるＩＸ−ＩＸ部での断面図である。
実施の形態１と同様に、送風装置８の生育側ファン８１および給水側ファン８２によって生成された気流は、生育領域Ｓ１および給水領域Ｓ２をそれぞれ後側から前側に向けて流れる。そして、生育側ファン８１および給水側ファン８２によって生成された気流は、通気反射壁５０に到達すると、それぞれの薄膜部材５１のスリット５１１を通って、植物栽培装置１の外側へ排出される。
【００８０】
さらに、生育側ファン８１および給水側ファン８２によって生成された気流が通気反射壁５０に到達すると、この気流に押されて薄膜部材５１の反射部５１２が変形する。具体的には、図９に示すように、反射部５１２のうち下側の部分が上方へまくれ上がるように変形する。これにより、反射部５１２の下部に間隙ができ、気流は、この間隙を介して植物栽培装置１の外側へ排出される。
【００８１】
また、図示は省略するが、実施の形態２の植物栽培装置１においても実施の形態１と同様に、光照射装置６により光を照射すると、通気反射壁５０に到達した光が薄膜部材５１（反射部５１２）で反射されて、生育領域Ｓ１へ照射される。これにより、栽培棚２（生育領域Ｓ１）にて生育する植物苗に照射される光量が増加する。
【００８２】
以上、本発明の実施の形態について説明したが、本発明は上述した実施の形態に限定されるものではない。例えば、通気反射壁は、光照射装置６からの光を栽培棚２側（生育領域Ｓ１側）に反射し、且つ送風装置８により生成された気流が通過可能な構造であれば、上述した構成に限られない。また、上述した実施の形態は、本発明の趣旨に反しない限りにおいては、様々な変形や組み合わせを行っても構わない。
【符号の説明】
【００８３】
１…植物栽培装置、２…栽培棚、３…筐体、４…底板、５…載置部、６…光照射装置、７…給水装置、８…送風装置、２０…栽培トレイ、２１…セル、４０…通気反射壁、４１…板部材、４２…枠部材、４３…支持部材、５０…通気反射壁、５１…薄膜部材、５２…支持部材、６１…ＬＥＤランプ、７１…管部材、８１…生育側ファン、８２…給水側ファン
【図１】
2020130135.tif 000003
【図２】
2020130135.tif 000004
【図３】
2020130135.tif 000005
【図４】
2020130135.tif 000006
【図５】
2020130135.tif 000007
【図６】
2020130135.tif 000008
【図７】
2020130135.tif 000009
【図８】
2020130135.tif 000010
【図９】
2020130135.tif 000011